(57)【要約】      （修正有）【課題】噴霧する際のレバーを引く強弱に左右されず、常に一定の細かい粒子を噴霧できる噴霧器を提供する。【解決手段】噴霧器は、液体を収納する容器本体と、容器本体の開口部に装着した噴霧ヘッドと、噴霧ヘッドから容器本体の内部に延びる吸上げチューブと、吸上げチューブの先端部に設けた錘４とを、少なくとも備える。錘４が、管胴４１と、この管胴４１の上部に設けた上蓋４２と、下部に設けた下蓋４３と、上蓋４２から突出すると共に上蓋４２の中央に穿設した出口穴部４２ａと連通する接続パイプ４４と、下蓋４３から突出すると共に下蓋４３の中央に穿設した吸入穴部４３ａと連通する吸込みパイプ４５と、管胴４１内を移動自在に内蔵した流量絞り弁体４６とからなり、且つ、流量絞り弁体４６の中央には、少なくとも、出口穴部４２ａよりも小径な貫通孔４６ａを穿設した。【選択図】図２
0003225145.tif 000002
【実用新案登録請求の範囲】
【請求項１】
液体を収納する容器本体（１）と、前記容器本体（１）の開口部に装着した噴霧ヘッド
（２）と、前記噴霧ヘッド（２）から前記容器本体（１）の内部に延びる吸上げチューブ（３）と、前記吸上げチューブ（３）の先端部に設けた錘（４）とを、少なくとも備えた噴霧器に於いて
前記錘（４）が、管胴（４１）と、この管胴（４１）の上部に設けた上蓋（４２）と、下部に設けた下蓋（４３）と、前記上蓋（４２）から突出すると共に前記上蓋（４２）の中央に穿設した出口穴部（４２ａ）と連通する接続パイプ（４４）と、前記下蓋（４３）から突出すると共に前記下蓋（４３）の中央に穿設した吸入穴部（４３ａ）と連通する吸込みパイプ（４５）と、前記管胴（４１）内を移動自在に内蔵した流量絞り弁体（４６）とからなり、且つ、前記流量絞り弁体（４６）の中央には、少なくとも、前記出口穴部（４２ａ）よりも小径な貫通孔（４６ａ）を穿設したことを特徴とする噴霧器。
【請求項２】
前記貫通孔（４６ａ）の大きさが、前記出口穴部（４２ａ）の穴径に対し、１０〜５０％小径にした請求項１記載の噴霧器。
【請求項３】
前記流量絞り弁体（４６）が、前記管胴（４１）内に遊嵌させた請求項１又は２記載の噴霧器。
【請求項４】
前記流量絞り弁体（４６）が、その外周に凸溝（４６ｂ）を形成した請求項１又は２記載の噴霧器。
【考案の詳細な説明】
【技術分野】
【０００１】
本考案は、水、消毒液、洗浄液等の液体を噴霧する噴霧器に関にする。
【背景技術】
【０００２】
従来、水、消毒液、洗浄液等の液体を噴霧するハンドル式の噴霧器として、特許文献１（特開Ｈ０６−７７１２号）には、噴霧器本体と、噴霧液を充填した液収納部と、該液収納部から管を介して液を吸引し噴霧するノズルとからなる噴霧器において、管を可撓性の材質で製造するとともに、吸入のときの負圧によるつぶれ防止部材を内蔵させ、管の自由端側に錘を設けた等のことが記載されている。
【０００３】
また、特許文献２（特開Ｈ１０−２２５９５９号)の図１〜４には、容器本体と、噴霧ヘッドと、吸い上げチューブと、錘とを備えた噴霧器が記載されている。
【先行技術文献】
【特許文献】
【０００４】
【特許文献１】特開Ｈ０６−７７１２号公報
【特許文献２】特開Ｈ１０−２２５９５９号公報
【考案の概要】
【考案が解決しようとする課題】
【０００５】
特許文献１及び２の噴霧器は、噴霧器を傾けて噴霧する場合でも、チューブの先端側が錘によって容器本体内の液面より下部に位置し、液体吸い込みが可能となり、容器本体内の液体を残らずに使用することができる利点を有する。
しかしながら、これら特許文献１及び２の噴霧器は、容器本体内の液体を残らずに使用することができても、噴霧する際のハンドルを引く強弱によって、噴出する霧の粒子が大小変化し、常に一定の細かい粒子でもって噴霧できず、時として大粒の粒子が混在した斑な噴霧状態を呈する問題点があった。
つまり、噴霧器の使用においてはハンドルを引く強弱が常に一定でなく、ハンドルを引く強弱によってチューブから吸引される液体の流量が変化するため、それによって噴霧する霧の粒子も大小変化してしまうのである。
【０００６】
本考案は、上問題点に鑑み、容器本体内の液体を残らずに使用することができると共に、噴霧する際のトリガーハンドルを引く強弱に左右されず、常に一定の細かい粒子を噴霧できる噴霧器を提供することを目的とする。
【課題を解決するための手段】
【０００７】
本考案は、上記問題点に鑑み、これを解消するものであり、液体を収納する容器本体（１）と、前記容器本体（１）の開口部に装着した噴霧ヘッド（２）と、前記噴霧ヘッド（２）から前記容器本体（１）の内部に延びる吸上げチューブ（３）と、前記吸上げチューブ（３）の先端部に設けた錘（４）とを、少なくとも備えた噴霧器に於いて
前記錘（４）が、管胴（４１）と、この管胴（４１）の上部に設けた上蓋（４２）と、下部に設けた下蓋（４３）と、前記上蓋（４２）から突出すると共に前記上蓋（４２）の中央に穿設した出口穴部（４１ａ）と連通する接続パイプ（４４）と、前記下蓋（４３）から突出すると共に前記下蓋（４３）の中央に穿設した吸込み穴部（４３ａ）と連通する吸込みパイプ（４５）と、前記管胴（４１）内を移動自在に内蔵した流量絞り弁体（４６）とからなり、且つ、前記流量絞り弁体（４６）の中央には、少なくとも、前記出口穴部（４２ａ）よりも小径な貫通孔（４６ａ）を穿設したことを特徴とする。
【０００８】
前記貫通孔（４６ａ）の大きさが、前記出口穴部（４２ａ）の穴径に対し、１０〜５０％小径にするのがよい。
【０００９】
前記流量絞り弁体（４６）が、前記管胴（４１）内に遊嵌させるのがよい。
【００１０】
前記流量絞り弁体（４６）が、その外周に凸溝（４６ｂ）を形成するのがよい。
【考案の効果】
【００１１】
本考案では、吸上げチューブ（３）の先端に錘（４）を有しているので、容器本体（１）の底部の液体も残らずに使用することができる。
しかも、本考案の最大の特徴は、錘（４）が、単に容器本体（１）の底部の液体も残らずに吸引できる役目の他に、錘（４）に内蔵した流量絞り弁体（４６）が噴霧する際の
流量調整を成し、これにより、噴霧する霧の状態がトリガーハンドル（２３）を引く強弱に左右されず、常に一定の細かい粒子を噴霧できる。
要するに、本考案では、錘（４）の役目が、容器本体内の液体を残らずに使用することができると共に、噴霧する霧の状態がトリガーハンドル（２３）を引く強弱に左右されず、常に一定の細かい粒子を噴霧できる効果も兼ね備えている。
【図面の簡単な説明】
【００１２】
【図１】本考案の噴霧器を示す断面図である。
【図２】本考案の錘を示す断面図である。
【図３】本考案の流量絞り弁体を示す説明図である。
【図４】本考案の錘の作用を示す説明図である。
【考案を実施するための形態】
【００１３】
以下、本考案の実施形態につき、図１及び図２を基に説明する。
その図１において、（１）は、液体を収納する透明な容器本体である、（２）は前記容器本体（１）の開口部に装着した噴霧ヘッドであり、（３）は噴霧ヘッド（２）から容器本体（１）の内部に延びる吸上げチューブであり、（４）は前記吸上げチューブ（３）の先端部に設けた錘である。
この実施形態では、容器本体（１）の上部開口部に取付けキャップ（２１）を介して噴霧ヘッド（２）が装着自在に装着され、噴霧ヘッド（２）は、ヘッド本体（２２）と、ヘッド本体（２２）に内蔵されたポンプ(図示せず)と、ポンプを手動で操作させるトリガーハンドル（２３）と、ポンプから吐出された液体を外部に噴出するための噴出ノズル（２４）を少なくとも備えている。
尚、この噴霧器の構成で、容器本体（１）、噴霧ヘッド（２）、吸上げチューブ（３）、錘（４）とで構成されているが、これらの内で、容器本体（１）、噴霧ヘッド（２）、吸上げチューブ（３）は既に公知であり、これ以上の説明は省略し、従来の構成と異なる錘（４）について以後詳述する。
【００１４】
前記錘（４）は、図２に示すように、肉厚で筒状の管胴（４１）と、この管胴（４１）の上端に設けた上蓋（４２）と、管胴（４１）の下端に設けた下蓋（４３）とを設け、管胴（４１）の上下が上蓋（４２）と下蓋（４３）とで封鎖されている。
尚、管胴（４１）、上蓋（４２）、下蓋（４３）は、錘の役目も成すため、金属製で防錆の真鍮、ステンレス製がよい。
また、この上蓋（４２）及び下蓋（４３）の中央には、上蓋（４２）に出口穴部（４２ａ）を、下蓋（４３）に吸入穴部（４３ａ）を穿設している。
【００１５】
また、前記上蓋（４２）から突出すると共に前記上蓋（４２）の出口穴部（４２ａ）と連通する接続パイプ（４４）と、前記下蓋（４３）から突出すると共に前記下蓋（４３）の吸入穴部（４３ａ）と連通する吸込みパイプ（４５）とを設け、接続パイプ（４４）は前記吸上げチューブ（３）と接続するためのものであり、吸込みパイプ（４５）は容器本体（１）の底部全体に届いて液体を残らず吸引できるようにしている。
更に、管胴（４１）内を移動自在に内蔵した円柱状の流量絞り弁体（４６）を設け、この流量絞り弁体（４６）の中央には出口穴部（４２ａ）よりも小径な貫通孔（４６ａ）を穿設している。
このように、本考案の錘（４）は、単に錘に役目をするのではなく、吸引する液体の流量をトリガーハンドル（２３）の引く強弱に対応して流体の流量を自動調節可能とし、流量調節機能付き錘の役目を成している。
また、貫通孔（４６ａ）の大きさは、前記穴部（４１ａ）の穴径に対し、１０〜５０％小径にするとよく、好ましくは２０〜３０％小径にするのがよく、例えば、出口穴部（４２ａ）の穴径が３ｍｍの場合、貫通孔（４６ａ）の穴径は1.5〜2.5ｍｍ程度である。
【００１６】
流量絞り弁体（４６）は、管胴（４１）内に遊嵌され、管胴（４１）内を移動自在に移動でき、しかも、管胴（４１）と流量調節弁体（４６）とには適度の隙間を有し、流体は貫通孔（４６ａ）を通過する他に、管胴（４１）と流量絞り弁体（４６）との隙間からも流体の一部が通過できるようにするとよい。
尚、管胴（４１）と流量調節弁体（４６）との隙間は0.2〜0.5ｍｍ程度である。
【００１７】
他方、流量絞り弁体（４６）と管胴（４１）とが遊嵌でなく、隙間なく移動自在に内蔵された状態では、図３に示すように、流量絞り弁体（４６）の外周に凸溝（４６ｂ）を形成し、この凸溝（４６ｂ）から流体の一部が通過できるようにしてもよい。
【００１８】
次に錘（４）の流量調節弁体（４６）の作用について図４を基に説明する。
先ず、トリガーハンドル（２３）を弱くあるいは通常の強さで引いた場合は、図４（ａ）の如く、吸引された流体の速度が速くないため、流量絞り弁体（４６）が上方に多少移動し浮き上がるが、錘（４）内に流れる流体は、矢印の如く流量絞り弁体（４６）の貫通孔（４６ａ）を経由して流出するのと、管胴（４１）と流量絞り弁体（４６）と隙間、あるいは流量絞り弁体（４６）の凸溝（４６ｂ）から適量の流体が流出して、出口穴部（４２ａ）を通り接続バルブ（４４）から吐出し、この状態にて適量の流量が吸上げチューブ（３）を通り噴霧ヘッド（２）に供給され、噴霧する粒子が小さな霧状にて綺麗に噴霧される。
【００１９】
他方、トリガーハンドル（２３）を強く引いた場合は、吸引された流体の速度が速くなり通常は流体の流量が増大するが、図４（ｂ）の如く、早い流速で流量絞り弁体（４６）が上方に押し上げられて上蓋（４２）に当接して、管胴（４１）と流量絞り弁体（４６）と隙間、あるいは流量絞り弁体（４６）の凸溝（４６ｂ）が上蓋（４２）で塞がれ、流体は貫通孔（４６ａ）のみを経由して流出し、流体の流量が自動的に絞られる。
これにより、トリガーハンドル（２３）を強く引いても、流体の流量が自動的に減少して噴霧する流量が適正化され、大きな粒を含んだ粒子にならず、小さな粒子の霧状にて綺麗に噴霧される。
このように、本本考案の噴霧器は錘（４）が流体の適切な流量調節をする働きを兼ねたことにより、トリガーハンドル（２３）の操作に強弱があっても、常に粒子の細かい霧が噴霧できる。
【符号の説明】
【００２０】
１  容器本体
２  噴霧ヘッド
３  吸上げチューブ  
４  錘
４１  管胴
４２  上蓋
４２ａ  出口穴部
４３  下蓋
４３ａ  吸入穴部
４４  接続パイプ
４５  吸込みパイプ
４６  流量絞り弁体
４６ａ  貫通孔
【図１】
0003225145.tif 000003
【図２】
0003225145.tif 000004
【図３】
0003225145.tif 000005
【図４】
0003225145.tif 000006